(57)【要約】【課題】構成の複雑化および大型化を防止しつつ所望の検出精度を確保する。【解決手段】レゾルバのコネクタ構造１０は、レゾルバステータ１２の外周部１２ｃから連続して延出するようにして一体に形成された絶縁性のコネクタ部材１３と、コネクタ部材１３の内部に固定された導電性の棒状導体１４と、を備える。棒状導体１４は、軸方向の一方において一端部１４ａをコネクタ部材１３から外部に露出させ、かつ軸方向の他方において他端部１４ｂをコネクタ部材１３から外部に突出させ、かつ他端部１４ｂから軸方向の一方に向かい延びるとともに第１曲部１４ｃにおいて径方向外方に向かい曲がっている。コネクタ部材１３は、軸方向の一方側において一部を切欠くように形成されて棒状導体１４の第１曲部１４ｃを外部に露出させる露出部２４と、露出部２４に充填されてコネクタ部材１３と棒状導体１４との間を封止するシール材と、を備える。【選択図】図２
2014092483.tif 000002
【特許請求の範囲】
【請求項１】
レゾルバステータの外周部から外部に向かい連続して延出するようにして一体に形成された絶縁性のコネクタ部材と、
前記コネクタ部材の内部に固定された導電性の棒状導体と、を備え、
前記棒状導体は、一端部を前記コネクタ部材の先端部から外部に露出させ、かつ他端部を前記コネクタ部材の基端部から外部に突出させ、かつ前記一端部と前記他端部との間に設けられた曲部において曲がっており、
前記コネクタ部材は、前記コネクタ部材の一部を切欠くように形成されて前記棒状導体の前記曲部を外部に露出させる露出部と、前記露出部に充填されて前記コネクタ部材と前記棒状導体との間を封止するシール材と、
を備えることを特徴とするレゾルバのコネクタ構造。
【発明の詳細な説明】
【技術分野】
【０００１】
この発明は、レゾルバのコネクタ構造に関する。
【背景技術】
【０００２】
従来、レゾルバステータから引き出されたワイヤーハーネスを、ケースの内部で配索して、ケースに設けられたコネクタに接続するレゾルバが知られている（例えば、特許文献１参照）。
【先行技術文献】
【特許文献】
【０００３】
【特許文献１】特開２００７−３３６７１４号公報
【発明の概要】
【発明が解決しようとする課題】
【０００４】
ところで、上記従来技術に係るレゾルバによれば、レゾルバステータとコネクタとの間のワイヤーハーネスがアンテナとして作用することによって、ワイヤーハーネスを流れる検出信号のノイズが増大し、レゾルバの検出精度を向上させることができない虞がある。
また、ワイヤーハーネスをケース内部で適正に配索するためには所定のスペースを要することから、ケースを小型化することができないという問題が生じる。
また、ケース内部においてモータのロータとワイヤーハーネスとが干渉する虞があり、この干渉を回避するためにハーネスを保護する構造が必要になると、構成が複雑化するという問題が生じる。
また、製造時にワイヤーハーネスを取り付けるための工程や手順が必要になるとともに、配線の断線や配線誤りが生じる虞があり、配線の断線や配線誤りが生じた場合には、レゾルバおよびモータをケースから取り外す必要が生じ、煩雑な手間がかかるという問題が生じる。
【０００５】
本発明は上記事情に鑑みてなされたもので、構成の複雑化および大型化を防止しつつ所望の検出精度を確保することが可能なレゾルバのコネクタ構造を提供することを目的としている。
【課題を解決するための手段】
【０００６】
上記課題を解決して係る目的を達成するために、本発明の第１の発明に係るレゾルバのコネクタ構造は、レゾルバステータ（例えば、実施の形態でのレゾルバステータ１２）の外周部（例えば、実施の形態での外周部１２ｃ）から外部に向かい連続して延出するようにして一体に形成された絶縁性のコネクタ部材（例えば、実施の形態でのコネクタ部材１３）と、前記コネクタ部材の内部に固定された導電性の棒状導体（例えば、実施の形態での棒状導体１４）と、を備え、前記棒状導体は、一端部（例えば、実施の形態での一端部１４ａ）を前記コネクタ部材の先端部（例えば、実施の形態での先端部２２）から外部に露出させ、かつ他端部（例えば、実施の形態での他端部１４ｂ）を前記コネクタ部材の基端部（例えば、実施の形態での基端部２０）から外部に突出させ、かつ前記一端部と前記他端部との間に設けられた曲部（例えば、実施の形態での第１曲部１４ｃ）において曲がっており、前記コネクタ部材は、前記コネクタ部材の一部を切欠くように形成されて前記棒状導体の前記曲部を外部に露出させる露出部（例えば、実施の形態で露出部２４）と、前記露出部に充填されて前記コネクタ部材と前記棒状導体との間を封止するシール材（例えば、実施の形態でのシール材２５）と、を備える。
【発明の効果】
【０００７】
本発明の第１の発明に係るレゾルバのコネクタ構造によれば、レゾルバステータに一体に形成されたコネクタ部材の内部に導電性の棒状導体を固定することによって、構成の複雑化および大型化を防止しつつ所望の検出精度を確保することができる。
【０００８】
コネクタ部材の内部に導電性の棒状導体が固定されていることから、製造時に配線誤りが発生することを防止し、配線の断線が発生することを抑制することができる。しかも、コネクタ部材はレゾルバステータに一体に形成されていることから、製造時に必要とされる工程や手順を簡略化することができる。
【０００９】
さらに、レゾルバを内部に収容するハウジングを小型化することができるとともに、ハウジングの内部に収容されるモータのロータなどと導電性の棒状導体との干渉が生じることを防止することができ、構成が複雑化することを防ぐことができる。
また、レゾルバステータの異常時などにおいて、このレゾルバステータのみをハウジングから取り外すだけで対応可能であり、煩雑な手間がかかることを防止することができる。
【００１０】
さらに、導電性の棒状導体を流れる検出信号のノイズが増大することを抑制し、レゾルバの検出精度を向上させることができる。
【００１１】
また、コネクタ部材と棒状導体との間をシール材によって封止していることから、レゾルバを収容するハウジングの内部に潤滑や圧力作用のための液体が封入されている場合であっても、この液体がコネクタ部材と棒状導体との間からハウジングの外部に漏れることを防止することができる。
また、棒状導体は一端部と他端部との間の曲部においてシール材によりシールされることから、熱衝撃による接続異常の発生およびコネクタ部材の大型化を防止することができる。
【００１２】
また、射出成型などによってコネクタ部材を成型する際に、露出部において棒状導体の曲部を保持することができ、製造時の作業性を向上させることができる。
【図面の簡単な説明】
【００１３】
【図１】本発明の実施の形態に係るレゾルバのステータを支持するケースの一部を示す断面図である。
【図２】本発明の実施の形態に係るレゾルバのコネクタ構造の断面図である。
【図３】本発明の実施の形態に係るレゾルバのステータの斜視図である。
【図４】本発明の実施の形態に係るレゾルバのコネクタ構造の斜視図である。
【図５】本発明の実施の形態に係るレゾルバのステータをケースの内部側から見た平面図である。
【図６】本発明の実施の形態に係るレゾルバのステータをケースの外部側から見た平面図である。
【図７】本発明の実施の形態の変形例に係るレゾルバのコネクタ構造の断面図である。
【発明を実施するための形態】
【００１４】
以下、本発明の一実施形態に係るレゾルバのコネクタ構造について添付図面を参照しながら説明する。
【００１５】
本実施の形態によるレゾルバのコネクタ構造１０は、図１から図６に示すように、ハウジング１１の内部に収容されたモータ（図示略）のロータ（図示略）の回転角（つまり、所定の基準回転位置からのロータの磁極の回転角度）を検出するレゾルバ（図示略）のレゾルバステータ１２に設けられている。
レゾルバのコネクタ構造１０は、レゾルバステータ１２のステータコア１２ａを保持するステータホルダ１２ｂの外周部１２ｃから連続して延出するようにして一体に形成された絶縁性のコネクタ部材１３と、コネクタ部材１３の内部に固定された導電性の棒状導体１４と、を備えている。
【００１６】
なお、レゾルバは、モータのロータの回転軸に固定されてロータとともに回転するレゾルバロータ（図示略）と、レゾルバロータに対向配置されるとともにコイル（図示略）を有するレゾルバステータ１２と、を備えている。
【００１７】
コネクタ部材１３は、ハウジング１１の内部に収容されたレゾルバステータ１２の外周部１２ｃに連続する基端部２０から径方向外方のコネクタ曲部２１に向かい延出し、コネクタ曲部２１においてレゾルバステータ１２の中心軸Ｏの軸方向の一方の先端部２２に向かい曲がっている。
先端部２２は、ハウジング１１から外部に突出して、制御ユニット（図示略）などに接続可能とされている。
【００１８】
コネクタ部材１３は、コネクタ曲部２１の外周面上に配置された環状などのシール部材２３を備えている。
シール部材２３は、ハウジング１１に設けられた貫通孔からなる装着部１１ａと、この装着部１１ａに挿入されるコネクタ曲部２１との間で、装着部１１ａの内面とコネクタ曲部２１の外周面との間をシールする。
【００１９】
棒状導体１４は、レゾルバステータ１２の中心軸Ｏの軸方向の一方において一端部１４ａをコネクタ部材１３の先端部２２において外部に露出させ、かつ軸方向の他方において他端部１４ｂをコネクタ部材１３の基端部２０の他方側の表面１３Ａ上から外部に突出させている。
棒状導体１４は、他端部１４ｂから軸方向の一方に向かい延びるとともに第１曲部１４ｃにおいて径方向外方に向かい曲がり、さらに、第２曲部１４ｄにおいて軸方向の一方の一端部１４ａに向かい曲がっている。
【００２０】
棒状導体１４の一端部１４ａは、コネクタ部材１３の先端部２２が制御ユニット（図示略）などに接続される場合の端子とされ、他端部１４ｂはレゾルバステータ１２のコイルが接続される端子とされる。
【００２１】
なお、コネクタ部材１３の内部には６本の棒状導体１４が固定されており、６本の棒状導体１４の他端部１４ｂには、レゾルバステータ１２の一次コイル（図示略）の両端と２つの二次コイル（図示略）の両端とが接続されている。
一次コイルは、外部から入力される正弦波などの基準信号を通流させ、２つの二次コイルは、互いに位相差が９０°となるように配置されるとともにレゾルバロータの回転角に応じた検出信号を出力する。
【００２２】
コネクタ部材１３は、レゾルバステータ１２の中心軸Ｏの軸方向の一方側の表面１３Ｂ上において一部を切欠くように形成されて棒状導体１４の第１曲部１４ｃを外部に露出させる露出部２４と、露出部２４に充填されてコネクタ部材１３と棒状導体１４との間をシールするシール材２５と、を備えている。
【００２３】
露出部２４は、レゾルバステータ１２の外周部１２ｃに連続するコネクタ部材１３の基端部２０（例えば、コネクタ曲部２１よりもレゾルバステータ１２側の箇所など）に設けられている。
【００２４】
上述したように、本実施の形態によるレゾルバのコネクタ構造１０によれば、レゾルバステータ１２に一体に形成されたコネクタ部材１３の内部に棒状導体１４を固定することによって、構成の複雑化および大型化を防止しつつ所望の検出精度を確保することができる。
【００２５】
コネクタ部材１３の内部に導電性の棒状導体１４が固定されていることから、例えばワイヤーハーネスを用いる場合に比べて、製造時に配線誤りが発生することを防止し、配線の断線が発生することを抑制することができる。
しかも、コネクタ部材１３はレゾルバステータ１２に一体に形成されていることから、配線誤りなどの発生を防止し、製造時に必要とされる工程や手順を簡略化することができる。
【００２６】
さらに、ハウジング１１の内部における配線の配策不要とし、ハウジング１１を小型化することができるとともに、ハウジング１１の内部に収容されるモータのロータなどとの干渉が生じることを防止することができ、構成が複雑化することを防ぐことができる。
また、レゾルバステータ１２の異常時などにおいて、このレゾルバステータ１２のみをハウジング１１から取り外すだけで対応可能であり、煩雑な手間がかかることを防止することができる。
【００２７】
さらに、棒状導体１４を流れる検出信号のノイズが増大することを抑制し、検出精度を向上させることができる。
【００２８】
また、コネクタ部材１３と棒状導体１４との間をシール材２５によって封止していることから、ハウジング１１の内部に潤滑や圧力作用のための液体が封入されている場合であっても、この液体がコネクタ部材１３と棒状導体１４との間からハウジング１１の外部に漏れることを防止することができる。
【００２９】
また、棒状導体１４を第１曲部１４ｃにおいてシール材２５によりシールすることから、例えば棒状導体１４の一端部１４ａまたは他端部１４ｂをシール材２５によりシールする場合に比べて、熱衝撃による接続異常の発生およびコネクタ部材１３の大型化を防止することができる。
【００３０】
つまり、ハウジング１１の外部の制御ユニット（図示略）などに接続される棒状導体１４の一端部１４ａにおいてシール材２５の充填に要するスペースをコネクタ部材１３の先端部２２に設ける必要が生じると、先端部２２が大型化するという問題が生じる。
一方、レゾルバステータ１２のコイルが接続される棒状導体１４の他端部１４ｂをシール材２５によってシールすると、熱衝撃によってコイルが断線する虞がある。
これらに対して、棒状導体１４の一端部１４ａと他端部１４ｂとの間をシール材２５によってシールすることにより、熱衝撃による接続異常の発生およびコネクタ部材１３の大型化を防止することができる。
【００３１】
また、射出成型などによってコネクタ部材１３を成型する際に、露出部２４において棒状導体１４の第１曲部１４ｃを保持することができ、製造時の作業性を向上させることができる。
【００３２】
なお、上述した実施の形態においては、棒状導体１４の第１曲部１４ｃを外部に露出させる露出部２４にシール材２５が充填されるとしたが、これに限定されず、例えば棒状導体１４の第２曲部１４ｄなどのように、一端部１４ａと他端部１４ｂとの間の適宜の箇所
をコネクタ部材１３から外部に露出させて、この露出した部分にシール材２５が充填されてもよい。
【００３３】
なお、上述した実施の形態においては、コネクタ部材１３の先端部２２および棒状導体１４の一端部１４ａは、レゾルバステータ１２の軸方向にハウジング１１から外部に突出するとしたが、これに限定されず、他の方向、例えば図７に示す変形例のような径方向外方などにおいて、ハウジング１１から外部に突出してもよい。
【００３４】
以上、説明した本実施形態は、本発明を実施するうえでの一例を示すものであり、本発明が前記した実施形態に限定して解釈されるものではないことは言うまでもない。
【符号の説明】
【００３５】
１０  レゾルバのコネクタ構造
１１  ハウジング
１２  レゾルバステータ
１２ｃ  外周部
１３  コネクタ部材
１４  棒状導体
１４ａ  一端部
１４ｂ  他端部
１４ｃ  第１曲部（曲部）
２０  基端部
２１  コネクタ曲部
２２  先端部
２４  露出部
２５  シール材
【図１】
2014092483.tif 000003
【図２】
2014092483.tif 000004
【図３】
2014092483.tif 000005
【図４】
2014092483.tif 000006
【図５】
2014092483.tif 000007
【図６】
2014092483.tif 000008
【図７】
2014092483.tif 000009